(57)【要約】【課題】濃炎孔による保炎効果を損なうことなく、淡炎孔の炎口面積を確保できるバーナを提供する。【解決手段】バーナ１の炎口部３０内には整流部材７０を設けている。整流部材７０の上端部には主炎を形成する淡炎孔８７が設けられている。淡炎孔８７の両側には、袖火を形成する濃炎孔９７，９８が設けられている。整流部材７０の両側に位置する端側整流板９１，９２の中央には凹部８５が設けられている。凹部８５では、整流部材７０の両側の流路が遮断される。淡炎孔８７に形成される主炎は、凹部８５において横方向の幅が狭くなる。凹部８５において主炎の側面に凹部ができるので、袖火を密に接触させることができる。よって、淡炎孔８７の炎口面積を確保しつつ、主炎の保炎効果を得ることができる。【選択図】図３
2010261615.tif 000002
【特許請求の範囲】
【請求項１】
上方に開口する細長形状の炎口部を上端部に有し、前記炎口部の長尺方向を前後方向、前記炎口部の短尺方向を横方向として、当該横方向に対峙する一対の側板で構成されるバーナ本体と、前記炎口部内に配設され、前記横方向に並設した複数の整流板を有する整流部材とを備え、当該整流部材の上端部に形成した淡炎孔と、当該淡炎孔の前記横方向の両側で、前記整流部材と前記側板とに挟まれた位置に形成した濃炎孔とを有する炎口ユニットを前記前後方向に複数列設したバーナであって、
前記炎口ユニットにおいて、前記複数の整流板のうち前記横方向の両側に位置する一対の端側整流板には、前記複数の整流板が並ぶ前記横方向の中央に向けて窪んだ凹部が互いに同一位置に各々設けられたことを特徴とするバーナ。
【請求項２】
前記凹部は、前記端側整流板の前記前後方向の略中央部位に沿って設けられたことを特徴とする請求項１に記載のバーナ。
【請求項３】
前記端側整流板の上端部と前記側板の上端部との間には、
前記側板との間に前記濃炎孔を形成すると共に、前記端側整流板との間に所定の隙間を形成する隔壁が設けられたことを特徴とする請求項１又は２に記載のバーナ。
【請求項４】
前記隔壁の前記凹部に対向する位置には、前記凹部と同一方向に窪み、かつ同一深さを有する隔壁側凹部が設けられたことを特徴とする請求項３に記載のバーナ。
【請求項５】
前記凹部は、底面と、当該底面に対して前記前後方向に隣接する側面とを備え、
前記側面は、前記底面に対して鈍角で傾斜したことを特徴とする請求項１乃至４の何れかに記載のバーナ。
【発明の詳細な説明】
【技術分野】
【０００１】
本発明は、バーナに関し、詳細には、淡炎孔と濃炎孔とを備えるバーナに関する。
【背景技術】
【０００２】
従来、ガス燃焼機器においてＮＯｘ排出量を低減するために、中央の淡炎孔で理論空燃比より燃料の希薄な燃料空気混合気（以下、淡ガスと呼ぶ）を燃焼させて主炎を形成し、上記淡炎孔の両側の濃炎孔では理論空燃比より燃料の濃い燃料空気混合気（以下、濃ガスと呼ぶ）を燃焼させて袖火を形成する低ＮＯｘバーナが利用されている。
【０００３】
例えば、中央の淡炎孔と両側の濃炎孔とを一体形成してユニット化したバーナユニットを備える低ＮＯｘバーナが知られている（例えば、特許文献１参照）。この低ＮＯｘバーナにおいて、淡炎孔に必要な炎口面積を確保する場合、ユニットの本数を増やしたり、淡炎孔を長くする等の対策が採られていたが、燃焼室空間は限られているため、淡炎孔の幅を広くすることで炎口面積を確保していた。
【先行技術文献】
【特許文献】
【０００４】
【特許文献１】特開２００１−１８２９１０号公報
【発明の概要】
【発明が解決しようとする課題】
【０００５】
しかしながら、淡炎孔の幅を広くすると、淡炎孔に形成される火炎の中央部の燃料が濃炎孔に形成される袖火に接触せず、火炎が上方に延びてしまうという問題点があった。
【０００６】
本発明は、上記課題を解決するためになされたものであり、濃炎孔による保炎効果を損なうことなく、淡炎孔の炎口面積を確保できるバーナを提供することを目的とする。
【課題を解決するための手段】
【０００７】
上記目的を達成するために、請求項１に係る発明のバーナは、上方に開口する細長形状の炎口部を上端部に有し、前記炎口部の長尺方向を前後方向、前記炎口部の短尺方向を横方向として、当該横方向に対峙する一対の側板で構成されるバーナ本体と、前記炎口部内に配設され、前記横方向に並設した複数の整流板を有する整流部材とを備え、当該整流部材の上端部に形成した淡炎孔と、当該淡炎孔の前記横方向の両側で、前記整流部材と前記側板とに挟まれた位置に形成した濃炎孔とを有する炎口ユニットを前記前後方向に複数列設したバーナであって、前記炎口ユニットにおいて、前記複数の整流板のうち前記横方向の両側に位置する一対の端側整流板には、前記複数の整流板が並ぶ前記横方向の中央に向けて窪んだ凹部が互いに同一位置に各々設けられている。
【０００８】
また、請求項２に係る発明のバーナは、請求項１に記載の発明の構成に加え、前記凹部は、前記端側整流板の前記前後方向の略中央部位に沿って設けられている。
【０００９】
また、請求項３に係る発明のバーナは、請求項１又は２に記載の発明の構成に加え、前記端側整流板の上端部と前記側板の上端部との間には、前記側板との間に前記濃炎孔を形成すると共に、前記端側整流板との間に所定の隙間を形成する隔壁が設けられている。
【００１０】
また、請求項４に係る発明のバーナは、請求項３に記載の発明の構成に加え、前記隔壁の前記凹部に対向する位置には、前記凹部と同一方向に窪み、かつ同一深さを有する隔壁側凹部が設けられている。
【００１１】
また、請求項５に係る発明のバーナは、請求項１乃至４の何れかに記載の発明の構成に加え、前記凹部は、底面と、当該底面に対して前記前後方向に隣接する側面とを備え、前記側面は、前記底面に対して鈍角で傾斜している。
【発明の効果】
【００１２】
請求項１に係るバーナでは、炎口部内に複数の炎口ユニットが列設されている。炎口ユニットでは、整流板によって整流された淡ガスを燃焼させることで淡炎孔に主炎を形成する。一方、その両側で濃ガスを燃焼させて濃炎孔に袖火を形成する。淡炎孔に形成される主炎に対して、濃炎孔に形成される袖火が接触することで主炎が安定する。端側整流板に設けた凹部においては、淡炎孔に形成される主炎が横方向に狭くなるので、淡炎孔に形成される主炎を２つの火炎に分断した状態に近い状態となる。即ち、炎口ユニットにおいては、淡炎孔に形成される火炎の１つ１つの前後方向の寸法を短くできるので、主炎に対する袖火の干渉を多くできる。また、淡炎孔に形成される火炎を完全に分断しないので、主炎の炎口面積を損なうことなく、主炎に対する袖火の干渉を多くできる。さらに、一対の端側整流板において凹部を同一位置に設けたことで、淡炎孔に形成される主炎をバランスよく分断できるので、主炎に対して袖火を両側からバランスよく接触させることができる。
【００１３】
また、請求項２に係るバーナでは、請求項１に記載の発明の効果に加え、炎口ユニットにおいて、凹部は端側整流板の略中央部位に沿って設けられているので、淡炎孔に形成される火炎のサイズを略中央部位を挟んで均等にできる。これにより、淡炎孔に形成される火炎を均等のサイズで並べることができる。
【００１４】
また、請求項３に係るバーナでは、請求項１又は２に記載の発明の効果に加え、端側整流板の上端部と側板の上端部との間に隔壁を設けることで、側板との間に濃炎孔を形成することができる。さらに、淡炎孔に形成される主炎と袖火との間に所定の隙間を設けることができる。これにより、淡炎孔に形成される主炎に対して袖火の先端側を接触させることができる。
【００１５】
また、請求項４に係るバーナでは、請求項３に記載の発明の効果に加え、隔壁の凹部に対向する位置には、凹部と同一方向に窪み、かつ同一深さを有する隔壁側凹部が設けられているので、端側整流板と隔壁との間の所定の隙間と、凹部と隔壁側凹部との間の隙間とを等間隔にできる。これにより、淡炎孔に形成される主炎と、濃炎孔に形成される袖火との距離をどの部位においても同じにできる。これにより、主炎に対する袖火の干渉度合いを揃えることができるので、主炎をバランスよく安定して保炎できる。
【００１６】
また、請求項５に係るバーナでは、請求項１乃至４の何れかに記載の発明の効果に加え、凹部の側面は底面に対して鈍角で傾斜しているので、その凹部の側面付近で主炎に対して袖火を特に干渉させることができる。
【図面の簡単な説明】
【００１７】
【図１】バーナ１の斜視図である。
【図２】バーナ１の平面図である。
【図３】図２に示す炎口ユニット９５周辺の部分拡大図である。
【図４】淡バーナユニット２０の斜視図である。
【図５】濃バーナユニット４０の斜視図である。
【図６】整流部材７０の斜視図である。
【図７】図３に示すＩ−Ｉ線矢視方向断面図である。
【図８】図３に示すＩＩ−ＩＩ線矢視方向断面図である。
【図９】変形例であるバーナ１００の要部の平面図である。
【発明を実施するための形態】
【００１８】
以下、本発明の一実施形態であるバーナ１について、図面を参照して説明する。以下説明において、図１の左斜め下方をバーナ１の前方とし、右斜め上方をバーナ１の後方とし、右斜め下方をバーナ１の右方とし、左斜め上方をバーナ１の左方とする。
【００１９】
本実施形態のバーナ１は、給湯器の筐体内に搭載されて使用される。バーナ１は、中央の淡炎孔８７で理論空燃比より燃料の希薄な燃料空気混合気（以下、淡ガスと呼ぶ）を燃焼させて主炎を形成し、淡炎孔８７の両側の濃炎孔９７，９８で理論空燃比より燃料の濃い燃料空気混合気（以下、濃ガスと呼ぶ）を燃焼させて袖火を形成する低ＮＯｘバーナである。
【００２０】
はじめに、バーナ１の全体構造について、図１乃至図３を参照して概略的に説明する。バーナ１は、上部が開口する薄い箱状のバーナ本体２を備えている。バーナ本体２は、板金によるプレス成形及びスポット溶接等により形成された淡バーナユニット２０と、該淡バーナユニット２０の上部の左右両側を挟むようにして、カシメ及びスポット溶接等により一体的に連結された濃バーナユニット４０とを備え、１つのユニットとして構成されている。なお、淡バーナユニット２０及び濃バーナユニット４０の詳細な形状については後述する。
【００２１】
バーナ本体２の上部には、上方に開口する細長形状の炎口部３０が設けられている。炎口部３０の内側には、下方から流れる淡ガスを整流する複数の整流板を有する整流部材７０が取り付けられている。炎口部３０は、５本の連結片５４によって６つの領域に区画されている。その領域内には、各種炎孔を有する炎口ユニット９５が各々形成されている。従って、バーナ本体２の炎口部３０には、６つの炎口ユニット９５からなる炎口群が形成されている。
【００２２】
各炎口ユニット９５において、整流部材７０の上端部には、複数のスリット炎孔からなる淡炎孔８７が設けられている。淡炎孔８７の左右方向（横方向）の両側には、細長形状の濃炎孔９７，９８が各々設けられている。淡炎孔８７と濃炎孔９７，９８との間には、所定の隙間である環流域１３，１４（図２，図３参照）が各々設けられている。淡炎孔８７では、淡ガスが燃焼することで主炎が形成される。濃炎孔９７，９８では、濃ガスが燃焼することで袖火が形成される。主炎を一対の袖火で挟むことによって、主炎を保炎することができる。
【００２３】
図１に示すように、バーナ本体２の前端部の下側には、前方に向けて開口し、淡ガスを取り込むための正面視縦長楕円形状の淡ガス導入口２５が設けられている。バーナ本体２の下側には、バーナ本体２の前後方向に延設され、淡ガス導入口２５に連通する略直線状のガス通路２６と、該ガス通路２６の後方に向かう下流側端部から上方に折曲したガス通路２７とが設けられている。
【００２４】
ガス通路２７の上方に折曲した下流側端部には、バーナ本体２の前後方向に流路幅が拡大した側面視逆三角形状の分布室２８（図４参照）が形成されている。分布室２８は、炎口部３０の内側に連通している。図１に示すように、その分布室２８を外部から覆うように、バーナ本体２の前後方向に流路幅が拡大した側面視逆三角形状の分布室５０が形成されている。分布室５０は、後述する濃ガス導入口４５と、炎口部３０の内側とに連通している。
【００２５】
図１に示すように、淡ガス導入口２５の上側には、濃ガスを取り込むための正面視略円形状の濃ガス導入口４５が設けられている。濃ガス導入口４５には、バーナ１の前方から後方にむかって徐々に拡径するガス通路４６が連通している。ガス通路４６の下流側端部には、上方に向けて折曲したガス通路４７が設けられている。ガス通路４７の上方に折り返された下流側端部が、上述した分布室５０に連通している。
【００２６】
従って、バーナ１では、淡ガス導入口２５に流入した淡ガスと、濃ガス導入口４５に流入した濃ガスとが、後述するそれぞれのガス通路を流れ、炎口部３０の内側に流入する。淡ガスは、整流部材７０の淡炎孔８７に供給される。濃ガスは、炎口部３０における整流部材７０の外側の隙間を流れ、濃炎孔９７，９８に供給される。
【００２７】
次に、バーナ本体２の構造について説明する。図１乃至図３に示すように、バーナ本体２は、上述したように、淡バーナユニット２０と、濃バーナユニット４０とを備え、１つのユニットとして構成されている。
【００２８】
まず、淡バーナユニット２０の構造について、図４を参照して説明する。淡バーナユニット２０は、一枚の板金によるプレス成形及びスポット溶接等によって凹凸形状に形成され、側面視略長方形状に形成されている。淡バーナユニット２０の上端部には、細長形状の開口である上述した炎口部３０が設けられている。炎口部３０は、所定幅を持って対向配置した一対の側板２１，２２に挟まれた内側に形成されている。側板２１，２２の各上端部よりもやや下側の同一位置には、内側に向けて凹んだ凹部２９（図４，図８参照）が淡バーナユニット２０の前後方向に各々延設されている。
【００２９】
淡バーナユニット２０の前端部３３の下部には、上述した淡ガス導入口２５が設けられている。淡バーナユニット２０の下端部３４側には、淡ガス導入口２５に連通する上述したガス通路２６と、ガス通路２７とが各々設けられている。淡バーナユニット２０の上下方向の略中断位置には、上述した分布室２８が設けられている。分布室２８は、ガス通路２７から流れる淡ガスを、バーナ本体２の前後方向に一様に拡散させる。分布室２８を流れた淡ガスは、炎口部３０に組み付けられた整流部材７０（図１参照）に下側から流れ込む。淡炎孔８７（図１参照）において淡ガスが燃焼することで主炎が形成される。
【００３０】
次に、濃バーナユニット４０の構造について、図５を参照して説明する。濃バーナユニット４０は、板金によるプレス成形及びスポット溶接等によって凹凸形状に形成され、側面視略長方形状に形成されている。濃バーナユニット４０は、一枚の板金の略中央に沿って細長形状の炎口部用開口５３を設け、その炎口部用開口５３が上端部になるように両端を下方に折り畳んでいる。炎口部用開口５３を形成する側板４１，４２の各上端部には、上述した５本の連結片５４が所定間隔を空けて、濃バーナユニット４０の前後方向に並んで渡設されている。
【００３１】
濃バーナユニット４０の前端部５７の下部には、上述した濃ガス導入口４５が設けられている。濃バーナユニット４０の下端側には、上述したガス通路４６と、ガス通路４７とが各々設けられている。濃バーナユニット４０の略中央には、上述した分布室５０が設けられている。濃バーナユニット４０の下端部の後方には、分布室５０の最下端部に連通する膨出形状の断面半円形状のカバー部４８が設けられている。
【００３２】
次に、整流部材７０の構造について、図６を参照して説明する。整流部材７０は、横長長方形状の６枚の整流板を有するユニット部材である。整流部材７０では、６枚の整流板を横方向に所定間隔を空けて並べ、それらの長手方向の両端をまとめて折り曲げてカシメ固定している。図６，図７に示すように、６枚の整流板は、その両側に配置された一対の端側整流板９１，９２と、端側整流板９１と端側整流板９２との間に各々配置された整流板７１，７２，７３，７４とである。なお、説明の便宜上、端側整流板９１側から端側整流板９２にかけて並ぶ４枚の整流板を、端側整流板９１側から順に整流板７１，７２，７３，７４とする。整流板の枚数はこれに限定されない。
【００３３】
図６に示すように、端側整流板９１，９２の各上端側には、正面視略半円形状の５つの凹部７７が、端側整流板９１，９２の長手方向に所定間隔毎に各々設けられている。端側整流板９１，９２の各下端側にも、正面視略半円形状の５つの凹部７８が、端側整流板９１，９２の長手方向に所定間隔毎に各々設けられている。端側整流板９１に設けた凹部７７，７８と、端側整流板９２に設けた凹部７７，７８とは、整流部材７０の長手方向において同一位置に設けられている。凹部７７，７８では、端側整流板９１，９２と、整流板７１〜７４とが隙間なくプレスされている。互いに上下に位置する凹部７７と凹部７８との間では、各整流板の隙間が確保されている。これにより、整流部材７０の上端部は６つの区画に分けられている。各区画の位置は、バーナ１の上端部に構成される炎口ユニット９５（図１，図２参照）の位置にそれぞれ対応している。
【００３４】
図６に示すように、端側整流板９１，９２において、整流部材７０の長手方向に互いに隣り合う凹部７７，７７に挟まれる略中央部位には、整流板７１，７４にそれぞれ接触する正面視矩形状の凹部８５（本発明の「凹部」に相当）が各々設けられている。凹部８５は、図３に示すように、底面８５Ａと、該底面８５Ａの前後方向の両端部に各々連接する側面８５Ｂ，８５Ｃとを備えている。側面８５Ｂ，８５Ｃは、底面８５Ａに対して鈍角に各々傾斜している。端側整流板９１に設けた凹部８５と、端側整流板９２に設けた凹部８５とは、整流部材７０の長手方向において同一位置に各々設けられている。
【００３５】
図２，図３に示すように、整流部材７０の後端部８１の上部には、互いに離れる方向に延出したフランジ９１Ａ，９２Ａが設けられている。整流部材７０の前端部８２の上部には、互いに離れる方向に延出したフランジ９１Ｂ，９２Ｂが設けられている。フランジ９１Ａ，９２Ａ，９１Ｂ，９２Ｂを、炎口部３０を形成する側板２１，２２の各上端部に係止させることで、炎口部３０の内側に整流部材７０を保持させることができる。
【００３６】
次に、上記構造からなる整流部材７０に形成される淡ガスの流路及びスリット炎孔８７Ａ〜８７Ｅについて、図７を参照して説明する。端側整流板９１と整流板７１との間には第１流路７７Ａが形成され、整流板７１と整流板７２との間には第２流路７７Ｂが形成され、整流板７２と整流板７３との間には第３流路７７Ｃが形成され、整流板７３と整流板７４との間には第４流路７７Ｄが形成され、整流板７４と端側整流板９２との間には第５流路７７Ｅが形成されている。
【００３７】
端側整流板９１の上端と整流板７１の上端との間にはスリット炎孔８７Ａが形成され、整流板７１の上端と整流板７２の上端との間にはスリット炎孔８７Ｂが形成され、整流板７２の上端と整流板７３の上端との間にはスリット炎孔８７Ｃが形成され、整流板７３の上端と整流板７４の上端との間にはスリット炎孔８７Ｄが形成され、整流板７４の上端と端側整流板９２の上端との間にはスリット炎孔８７Ｅが形成されている。これらスリット炎孔８７Ａ〜８７Ｅによって淡炎孔８７を構成している。
【００３８】
次に、淡バーナユニット２０と濃バーナユニット４０との間に形成される濃ガスの流路について、図７を参照して説明する。淡バーナユニット２０の側板２１と、濃バーナユニット４０の側板４１とに挟まれた間には、濃ガスを分布室５０から濃炎孔９７に供給するための濃ガス流路７６Ａが設けられている。淡バーナユニット２０の側板２２と、濃バーナユニット４０の側板４２とに挟まれた間には、濃ガスを分布室５０から濃炎孔９８に供給するための濃ガス流路７６Ｂが設けられている。
【００３９】
濃ガス流路７６Ａの途中には、淡バーナユニット２０に設けられた凹部２９において流路幅が広くなった均圧室６１が形成されている。濃ガス流路７６Ｂの途中にも、淡バーナユニット２０に設けられた凹部２９において流路幅が広くなった均圧室６２が形成されている。濃ガス流路７６Ａおよび濃ガス流路７６Ｂを流れる濃ガスは、均圧室６１，６２でバーナ１の前後方向にガス圧が均一化され、濃炎孔９７，９８に各々供給される。
【００４０】
次に、淡炎孔８７と、濃炎孔９７，９８との間に形成された環流域１３，１４について、図７を参照して説明する。淡バーナユニット２０の側板２１の上端部と、整流部材７０の端側整流板９１の上端部との間には所定の隙間である環流域１３が設けられている。淡炎孔８７と濃炎孔９７は、環流域１３を介して離間している。淡バーナユニット２０の側板２２の上端部と、整流部材７０の端側整流板９２の上端部との間には所定の隙間である環流域１４が設けられている。淡炎孔８７と濃炎孔９８は、環流域１４を介して離間している。環流域１３，１４では、淡炎孔８７から噴出する淡ガスの流れによって空気の環流が生じる。この環流によって、濃炎孔９７，９８に各々形成される袖火が主炎に引き込まれるので、袖火を主炎の側面に対して干渉させることができる。
【００４１】
次に、バーナ１の組み立て方法について説明する。まず、図４に示す淡バーナユニット２０の上端部に形成された炎口部３０の内側に、図６に示す整流部材７０を上方から挿入する。整流部材７０の両端部に形成されたフランジ９１Ａ、９２Ａ、９１Ｂ、９２Ｂを、淡バーナユニット２０の側板２１，２２の各上端部に係止させる（図２，図３参照）。こうして炎口部３０内に整流部材７０が保持される。
【００４２】
次いで、濃バーナユニット４０の側板４１，４２の各下端部を両側に開き、淡バーナユニット２０を上方から覆って内側に挟み込む。そして、淡バーナユニット２０の炎口部３０に対して、濃バーナユニット４０の炎口部用開口５３を位置させる。図２に示すように、炎口部３０を平面視で見たときに、炎口部用開口５３に設けられた複数の連結片５４は、整流部材７０の端側整流板９１，９２に設けた複数の凹部７７（図６参照）の各位置に対応して配置される。即ち、連結片５４が、整流部材７０に形成される淡炎孔８７を遮ることはない。
【００４３】
一方、図１に示すように、濃バーナユニット４０のカバー部４８（図５参照）を、淡バーナユニット２０のガス通路２７（図４参照）に外側から被せる。このとき、淡バーナユニット２０の分布室２８（図４参照）を覆うように、濃バーナユニット４０の分布室５０が位置する。分布室５０は、淡バーナユニット２０の外面と濃バーナユニット４０の内面との間の隙間で形成される。また、濃ガス導入口４５を形成する側板４１，４２の部分で、淡バーナユニット２０の前端部３３を挟み込む。こうして濃ガス導入口４５の内側が淡バーナユニット２０の前端部３３で左右に分割される。ガス通路４６，４７の内側においても同様である。これにより、濃ガス導入口４５に流入する濃ガスを左右に分流するので、濃炎孔９７，９８に対して濃ガスを均等に供給できる。
【００４４】
次いで、濃バーナユニット４０の前端部５７に設けた細長短冊状のカシメ片５７Ａ，５７Ｂ，５７Ｃ，５７Ｄ（図５参照）を、淡バーナユニット２０の前端部３３を内側に抱き込むように折り曲げてカシメを行う（図１参照）。また、濃バーナユニット４０の後端部５８に設けた細長短冊状のカシメ片５８Ａ，５８Ｂ，５８Ｃ（図５参照）を、淡バーナユニット２０の後端部３５を内側に抱き込むように折り曲げてカシメを行う（図１参照）。最後に、所々をスポット溶接、プレス等を行うことによって、バーナ１の組み立てが終了する。
【００４５】
次に、バーナ１における火炎形成の仕組みについて、図３，図７，図８を参照して説明する。まず、淡ガスがバーナ１を流れて主炎を形成するまでについて説明する。給湯器（図示外）の器具内では、バーナ１の淡ガス導入口２５（図１参照）に対して、淡ガスを噴出する淡ガスノズル（図示外）が臨むようにして配置される。淡ガスノズルから淡ガス導入口２５に淡ガスが噴出される。このとき、淡ガス流によりその周囲から一次空気が取り込まれるので、淡ガス導入口２５には淡ガスと一次空気とが送り込まれる。送りこまれた淡ガスと一次空気はガス通路２６で混合され、ガス通路２７を介して分布室２８に供給される。
【００４６】
分布室２８において、淡ガスはバーナ１の前後方向に拡散しながら上方に流れ、各炎口ユニット９５において、炎口部３０に対して下側から流入する。炎口部３０に流入した淡ガスは、整流部材７０に対して下側から各ガス流路７７Ａ〜７７Ｅ内に流入する（図７参照）。ガス流路７７Ａ〜７７Ｅを流れた淡ガスは、各スリット炎孔８７Ａ〜８７Ｅで燃焼することで、淡炎孔８７に主炎が形成される。
【００４７】
次に、濃ガスがバーナ１を流れて袖火を形成するまでについて説明する。給湯器（図示外）の器具内では、図１に示す濃ガス導入口４５に対して、濃ガスを噴出する濃ガスノズル（図示外）が臨むようにして配置される。濃ガスノズルから濃ガス導入口４５に濃ガスが噴出される。このとき、濃ガス流によりその周囲から一次空気が取り込まれるので、濃ガス導入口４５には濃ガスと一次空気とが送り込まれる。送りこまれた濃ガスと一次空気はガス通路４６で混合され、ガス通路４７を介して分布室５０に供給される。分布室５０において、濃ガスはバーナ１の前後方向に拡散しながら濃ガス流路７６Ａ、濃ガス流路７６Ｂに流れる。
【００４８】
濃ガスが濃ガス流路７６Ａ、濃ガス流路７６Ｂを流れる際に、均圧室６１，６２においては、濃ガス流路の断面積が変化する。このことにより濃ガスの流れに乱れが生じる。このとき、バーナ１の前後方向における濃ガスの圧力勾配が推進力となり、濃ガスは上方向に流通するだけでなく、バーナ１の前後方向に拡散する。即ち、濃ガスは、均圧室６１，６２において、バーナ１の前後方向における圧力勾配が０となるように、前後方向において圧力の高いところから低いところに移動する。こうして均圧室６１，６２において、濃ガスのガス圧は前後方向において均一化される。
【００４９】
濃ガスは、流速がバーナ１の前後方向において均一の状態で、濃ガス流路７６Ａ、濃ガス流路７６Ｂを流れ、濃炎孔９７，９８から噴出する。これにより、濃炎孔９７，９８に安定した袖火が形成される。
【００５０】
このようなバーナ１の燃焼状態では、淡ガスが淡炎孔８７で燃焼されると炎口部３０の横方向の中央に比較的大きな主炎を形成する。一方、濃ガスが濃炎孔９７，９８で燃焼されると、主炎に隣接する両側の位置で比較的小さな袖火を形成する。淡ガスが燃焼して形成される主炎は、濃ガスが燃焼して発生した火炎が発生する熱により安定化される。また、環流域１３，１４では、淡炎孔８７から噴出する淡ガスの流れによって空気の環流が生じる。この環流によって、濃炎孔９７，９８に各々形成される袖火が主炎に引き込まれるので、袖火を主炎の側面に対して干渉させることができる。
【００５１】
次に、凹部８５における主炎に対する袖火の干渉効果について、図３，図８を参照して説明する。図３，図８に示すように、凹部８５においては、第１流路７７Ａと、第６流路７７Ｅとは凹部８５において遮断されている。よって、淡炎孔８７に形成される主炎は、凹部８５が設けられていない部分の淡炎孔８７に形成される主炎（図７参照）に比べて横方向の幅が小さくなる。
【００５２】
つまり、淡炎孔８７に形成される主炎を完全に２分するのではなく、凹部８５において横方向の幅を狭くしている。これにより、淡炎孔８７の炎口面積を減少させることなく、凹部８５において主炎の側面の面積を増やすことができるので、凹部８５において主炎に対して袖火を密に干渉させることができる。特に、凹部８５の側面８５B，８５Cにおいて、主炎に対して袖火をより多く干渉させることができる。従って、濃炎孔９７，９８に形成される袖火による主炎の保炎効果を損なうことなく、淡炎孔の炎口面積を確保できる。
【００５３】
以上説明したように、本実施形態のバーナ１では、炎口部３０内に複数の整流板を有する整流部材７０を備えている。整流部材７０の上端部には、複数のスリット炎孔からなる淡炎孔８７が設けられている。淡炎孔８７では淡ガスが燃焼して主炎が形成される。淡炎孔８７の両側には、濃炎孔９７，９８が設けられている。濃炎孔９７，９８では濃ガスが燃焼して袖火が形成される。従って、主炎は、濃炎孔９７，９８に形成される袖火によって保炎される。整流部材７０の両側に位置する一対の端側整流板９１，９２の各上端部の略中央には、凹部８５が各々設けられている。凹部８５においては、整流部材７０の両側の流路である第１流路７７Ａと、第６流路７７Ｅとが遮断されている。よって、淡炎孔８７に形成される主炎は、凹部８５が設けられていない部分の淡炎孔８７に形成される主炎に比べて横方向の幅が小さくなる。
【００５４】
つまり、淡炎孔８７に形成される主炎を完全に２分するのではなく、凹部８５において横方向の幅を狭くしている。これにより、淡炎孔８７の炎口面積を減少させることなく、凹部８５において主炎の側面の面積を増やすことができるので、凹部８５において主炎に対して袖火を密に干渉させることができる。特に、凹部８５の側面８５Ｂ，８５Ｃにおいて、主炎に対して袖火をより多く干渉させることができる。
【００５５】
また、凹部８５を、各炎口ユニット９５において、端側整流板９１，９２の前後方向の中央に設けることで、淡炎孔８７に形成される主炎の前後方向の中央に凹みができる。その凹みに対して袖火を干渉させることで、主炎全体をバランス良く保炎できる。以上により、バーナ１では、濃炎孔９７，９８に形成される袖火による主炎の保炎効果を損なうことなく、淡炎孔の炎口面積を確保できる。
【００５６】
次に、本実施形態の変形例であるバーナ１００について、図９を参照して説明する。変形であるバーナ１００は、上記実施形態と同様の構造を備えているので、同じ構造部分については、上記実施形態で使用した符号と同じ符号を付して説明する。
【００５７】
上記実施形態では、バーナ１の環流域１３，１４は、凹部８５において横方向の幅が他部位（凹部８５が設けられていない部位）に比べて広くなっている（図３参照）。変形例であるバーナ１００では、淡バーナユニット２０の側板２１，２２と、濃バーナユニット４０の側板４１，４２とにおいて、整流部材７０の凹部８５に対応する部分を凹ませることで、環流域１３，１４をどの部位においても等間隔にしている。
【００５８】
バーナ１００では、淡バーナユニット２０の側板２１，２２において、整流部材７０の端側整流板９１，９２に設けた凹部８５に対応する部位に、凹部８５と同形状の凹部１２１を設けている。さらに、濃バーナユニット４０の側板４１，４２においても、整流部材７０の端側整流板９１，９２に設けた凹部８５に対応する部位に、凹部８５と同形状の凹部１３１を設けている。つまり、凹部１２１，１３１は、凹部８５と同一方向に窪み、かつ同一深さである。なお、図９に示す淡バーナユニット２０の側板２１，２２が本発明の「隔壁」に相当する。淡バーナユニット２０の側板２１，２２に設けた凹部１２１が本発明の「隔壁側凹部」に相当する。
【００５９】
バーナ１００を平面視で見た場合、環流域１３，１４は、凹部８５を設けた部位、凹部８５を設けていない部位の何れの部位においても等間隔である。これにより、淡炎孔８７に形成される主炎と、濃炎孔９７，９８に形成される袖火との距離をどの部位においても同じにできる。これにより、主炎に対する袖火の干渉度合いを揃えることができるので、主炎をバランスよく安定して保炎できる。
【００６０】
また、濃炎孔９７，９８においても、凹部８５に対応する部位と、それ以外の部位とおいて、何れも等間隔になっているので、濃ガスの流路幅を均一にできる。即ち、バーナ１００の前後方向において、濃炎孔９７，９８における濃ガスの噴出量を均一にできるので、濃炎孔９７，９８に形成する袖火のサイズを揃えることができる。さらに、サイズの揃った袖火を主炎に対して一様に接触させることができるので、主炎の保炎効果をさらに向上できる。
【００６１】
なお、本発明は、上記実施形態に限定されることなく、各種の変更が可能である。例えば、炎口ユニット９５の数、整流部材７０の整流板の数等は、上記実施形態に限定されない。
【符号の説明】
【００６２】
１  バーナ
２  バーナ本体
１３  環流域
１４  環流域
２０  淡バーナユニット
２１，２２  側板
３０  炎口部
４０  濃バーナユニット
４１，４２  側板
７０  整流部材
７１〜７４  整流板
８５  凹部
８５Ａ  底面
８５Ｂ，８５Ｃ  側面
８７  淡炎孔
９１，９２  端側整流板
９５  炎口ユニット
９７，９８  濃炎孔
１００  バーナ
１２１  凹部
１３１  凹部
【図１】
2010261615.tif 000003
【図２】
2010261615.tif 000004
【図３】
2010261615.tif 000005
【図４】
2010261615.tif 000006
【図５】
2010261615.tif 000007
【図６】
2010261615.tif 000008
【図７】
2010261615.tif 000009
【図８】
2010261615.tif 000010
【図９】
2010261615.tif 000011